(57)【要約】【課題】ガラス製建材を使用した建物の壁構造において、建材が撓みや変形を生じない強度を有する建物の壁構造を提供する。【解決手段】長形なガラス板の長さ方向両側を折曲して補強板としたガラス製建材により構築する建物の壁構造において、建材２の補強板５間に、補強板５と平行に金属製支持板３を配設して支持板３と補強板５間にコーキング材４を充填する。建材２より下方に突出する支持板３の下部は、支持板３の下面に固定可能な下部を開口したボックス型の保持部材６と、この保持部材６内に入り得る回動用部材７をベース８に設けたものである回動用基部により板面方向に回動可能に支持するとともに建材２より上方に突出する支持板３の上部は、ベース９の下面に対向して突設した二枚の挟持板１０の内側にそれぞれ半円状に湾曲して設けた板バネ１１間に挿し込み可能とした揺動用基部で傾斜可能に保持してある。【選択図】図１
2005146750.tif 000002
【特許請求の範囲】
【請求項１】
長形なガラス板の長さ方向両側を折曲して補強板としたガラス製建材により構築する建物の壁構造において、建材２の補強板５間に、補強板５と平行に金属製支持板３を配設して支持板３と補強板５間にコーキング材４を充填し、建材２より下方に突出する支持板３の下部は回動用基部により支持板３の板面方向に回動可能に支持するとともに建材２より上方に突出する支持板３の上部は揺動用基部で支持板３の板面とは直交する方向に傾斜可能に保持するようにしたことを特徴とする建物の壁構造。
【請求項２】
回動用基部は、支持板３の下面に設けた下部を開口したボックス型の保持部材６と、この保持部材６内に入り得る回動用部材７をベース８に設けたものである請求項１に記載する建物の壁構造。
【請求項３】
揺動用基部は、ベース９の下面に対向して突設した二枚の挟持板１０の内側にそれぞれ半円状に湾曲した板バネ１１を設け、支持板３の上部は両板バネ１１間に挿し込み可能とした請求項１に記載する建物の壁構造。
【発明の詳細な説明】
【技術分野】
【０００１】
本発明はビルのような建築物における建物の壁構造に関し、特に、ガラス製建材を使用して構築した外壁の構造に関するものである。
【背景技術】
【０００２】
近年、ビルのような建築物においてはガラス製建材を使用して外壁の一部あるいは全面を構築することが行われている。図は、従来の壁構造に使用するガラス製建材Ａの一例を示すものであり、採光可能で不透視な長形ガラス板ａの長さ方向両側を同じ方向に折り曲げて補強板ｂを形成し、全体に強度を持たせた偏平Ｕ字形状を有している。このようなガラス製建材Ａは、一般的には平面部Ｂを外向きにして外壁構築箇所に縦長に設置し、更に、複数の建材Ａを外壁構築空間内で横方向に多数配設する。
【０００３】
このようにしてガラス製建材Ａにより外壁を構築した後、各建材Ａ間にはコーキング材Ｃを埋め込んで連結するとともに緩衝材として使用し、かつ、屋内への雨水の侵入を防止している。そして、図示していないが外壁の上下端および両側は矩形状に組み合わせた支持桁材を使用して連結、固定し、同時に雨仕舞い処理をしておく。または、建物躯体に直接固定することがある。
【特許文献１】特願２００１−３４３９４７
【発明の開示】
【発明が解決しようとする課題】
【０００４】
上記するガラス製建材Ａにより構築した外壁は、デザイン性に優れ、経済的な利点を有している。しかし、建材Ａは上下および左右を支持桁材あるいは建物躯体に直接固定してあるので、強風により建材Ａの平面部Ｂ（建物の外面側）に風圧（正圧）が加えられた時、内側に負圧が生じ、建材Ａ全体に撓みや変形を生じてひび割れのような亀裂を生ずる原因となっていた。
また、地震のような横揺れによっても建材Ａ全体に撓みによる変形現象が生じて亀裂を生じ、建材Ａが元の状態に復帰しないことがあった。
【０００５】
本発明は、上記する建物の壁を構築する従来のガラス製建材の問題点に鑑み、風圧や揺れに起因してガラス材が撓みや変形を起こすことがなく、建材を保護することを可能とした建物の壁構造を提供することを目的とするものである。
【課題を解決するための手段】
【０００６】
本発明建物の壁構造は、長形なガラス板の長さ方向両側を折曲して補強板としたガラス製建材により構築する建物の壁構造において、建材２の補強板５間に、補強板５と平行に金属製支持板３を配設して支持板３と補強板５間にコーキング材４を充填し、支持板３の下部は回動用基部により板面方向に回動可能に保持するとともに支持板３の上部は揺動用基部で傾斜可能に支持したものである。
【０００７】
本発明における回動用基部は、支持板３の下面に設けた下部を開口したボックス型の保持部材６と、この保持部材６内に入り得る回動用部材７をベース８に設けたものである。また、揺動用基部は、ベース９の下面に対向して突設した二枚の挟持板１０の内側にそれぞれ半円状に湾曲した板バネ１１を設け、支持板３の上部は両板バネ１１間に挿し込み可能としたものである。
【発明の効果】
【０００８】
本発明によればガラス製建材により建物の壁を構築する時、各建材２間に金属製の支持板３を設置し、建材２と支持板３間にはコーキング材を充填して連結するとともに支持板３の下部は回動用基部で支持し、更に、上部は揺動可能としたので地震のような横揺れに際して支持板３は揺れ方向に傾き、同時に建材２も同じ方向に傾斜するので無理な圧力が加わらず、建材２が変形したり亀裂を生ずることがない。
【０００９】
また、支持板３は屋内外方向へ動くことがなく建材２を保持しているので、風圧により建材２が撓んだり変形することがなく、長期間の使用に耐えるものである。
【発明を実施するための最良の形態】
【００１０】
以下、図面に従って、本発明の実施の形態を詳細に説明する。
図１は、本発明に係る壁構造の一実施形態を示し、ガラス製建材を使用して構築した壁構造の要部を示すものである。
この壁構造１は、従来と同じ構造のガラス製建材２を壁構築箇所に縦長に設置するとともに壁構築空間内で横方向に多数配設することは従来の壁構造と同じである。本発明における特徴ある基本的構成は、両側に補強板を有する各建材２間に金属製の支持板３を縦長に設置し、建材２と支持板３との間にはコーキング材４を充填して連結する。コーキング材４は、圧縮や引っ張りに対する許容性を有している。
【００１１】
そして、建材２より下方に突出する支持板３の下部は回動用基部で保持し、建材２は板面と直交する方向には動かないようになっている。また、建材２より上方に突出する支持板３の上部は揺動用基部で支持し、建材２は板面と平行する方向に傾斜状に揺れ動くことができるようにしたことである。
【００１２】
支持板３は、隣接する建材２の折曲した補強板５間において補強板５と平行に設置してあり、図２は支持板３を回動可能に支持する回動用基部を示すものである。即ち、支持板３の下面中央部には、下面を開口した横長なボックス型の保持部材６を溶接、ビス止め等の適宜の手段で一体に固定し、また、保持部材６内に入り得る丸棒状の回動用部材７がベース８上に固定してある。尚、このベース８は、後記する支持桁材に取り付け、固定してある。
【００１３】
保持部材６内に回動用部材７を入れると、支持板３は板面と平行する方向（矢印Ｘ方向）に移動することはない。即ち、建材２は、板面と直交する方向に動くことはない。また、回動用部材７は丸棒体となっているので、支持板３はこの回動用部材７を回動基点として板面と直交する方向（矢印Ｙ方向）に傾斜して揺れ動くようになっている。即ち、建材２は、板面と平行する方向に傾斜揺動することになる。
【００１４】
前記した揺動用基部は、図３に示すように、ベース９の下面に対向して突設した二枚の挟持板１０の内側にそれぞれ半円状に湾曲した板バネ１１を設けた構成となっている。支持板３の上部は両板バネ１１間に挿し込み可能となっており、常態では支持板３は、両板バネ１１の均等圧により垂直状態を維持するようになっている。尚、このベース９は、後記する支持桁材に取り付け、固定してある。
【００１５】
上記する建材２、支持板３、回動用基部、揺動用基部、ベース等の位置関係は図４により明らかである。壁構造の構築箇所上下には横長な支持桁材１２、１３が対向して平行に設置してある。前記した回動用部材７を有するベース８は下方の支持桁材１２内に設置し、溶接、ビス等を使用して固定してある。
【００１６】
また、挟持板１０を有するベース９は上部の支持桁材１３内に設置し、溶接、ビス等を使用して固定してある。これによって支持板３の下部は回動用基部で支持され、上部は揺動用基部で保持されて垂直状態を維持し、支持板３の両側に隣接する建材２（図面では片側のみを示している）はコーキング材４を介して安定して保持される。
【００１７】
本発明における建材２は、支持板３よりも長さが短くなっており、適度の圧縮性や引っ張り強度を有するコーキング材４を介して両側に位置する支持板３間に圧設した状態で保持するようになっている。尚、上下の支持桁材１２、１３は、図示しない建物構築躯体に雨仕舞い可能な状態で固定してある。
【００１８】
本発明建物の壁構造は上記の構成であり、壁面に対して正面から風圧が加えられた時、回動用部材７が保持部材６内にあって移動することがないので支持板３は奥行き方向、即ち、屋内外方向（前記Ｘ方向）に動くことがない。従って支持板３で補強された建材２が撓みあるいは変形を生ずることがない。
【００１９】
また、地震により支持板３の板面方向（前記のＹ方向）に横揺れが生じた時、支持板３の下部は回動用部材７を基点にし、上部は建物の揺れに応じて左右に揺れ動くことになる。この時、支持板３の上部は揺動用基部（板バネ１１）に挟持されているが固定されていないので、図５に示すように、支持桁材１３とともに揺れ動く支持板３は、傾斜方向の板バネ１１を圧縮して板バネ１１面を滑るように傾斜する。
【００２０】
この時、他方の板バネ１１は傾斜方向へ膨出するようになる。支持板３が一方向に傾斜する時、建材２も同時に傾斜するが、大地震のような特に大きな揺れでない限り片側への傾斜幅は僅かであり、建材２が撓んだり変形を生ずることはない。揺れが収まると建物および支持桁材１３に従って支持板３は常態に復帰し、両側の板バネ１１の圧縮圧で垂直な状態が保たれる。同時に建材２も常態に復帰する。
【００２１】
前記した説明では、支持板３は隣接する建材２の補強板５間に設置した場合であるが、図６に示すように、支持板３の先端に化粧板１４を設け、建材２と支持板３との連結部分を目隠しするようにしてもよい。
【産業上の利用可能性】
【００２２】
ビルの建築あるいは改築に際し、外壁をガラス製建材を使用して構築する場合、支持板３を使用して建材２を補強すれば風圧に耐え、地震に対する耐震構造として最適なものである。
【図面の簡単な説明】
【００２３】
【図１】本発明壁構造の一実施形態を示す要部の斜視図である。
【図２】支持板の回動用基部を示す斜視図である。
【図３】支持板の揺動用基部を示す側面図である。
【図４】本発明壁構造の要部の斜視図である。
【図５】支持板を片側へ傾斜させた状態の側面図である。
【図６】支持板に化粧板を設けた状態の平面図である。
【図７】従来の壁構造に使用する建材の斜視図である。
【符号の説明】
【００２４】
１  壁構造
２  ガラス製建材
３  支持板
４  コーキング材
５  補強板
６  保持部材
７  回動用部材
８  ベース
９  ベース
１０  挟持板
１１  板バネ
１２  支持桁材
１３  支持桁材
１４  化粧板
【図１】
2005146750.tif 000003
【図２】
2005146750.tif 000004
【図３】
2005146750.tif 000005
【図４】
2005146750.tif 000006
【図５】
2005146750.tif 000007
【図６】
2005146750.tif 000008
【図７】
2005146750.tif 000009